(57)【要約】  本発明は、携帯型無線電話機、ＰＤＡ、ノートブックなど、スライディング開閉方式を採用した各種の電子機器に適用されるスライディング動作の安定性を確保させるデュアルスライディング開閉装置に関するものである。上記デュアルスライディング開閉装置は、第１胴体と第２胴体との間に設けられて、上記第２胴体が上記第１胴体の第１位置と第２位置との間をスライディングされながら移動できるようにするためのスライディング開閉装置であって、上記第２胴体のスライディング方向に上記第１胴体に設けられるスライディング部材と上記スライディング部材に移動可能に結合され、上記第２胴体に設けられるガイドレール部材を備えたスライディング開閉モジュールを上記スライディング方向に垂直な方向に沿って複数個設けたことを含む構成を有する。
2011518515.tif 000002
【特許請求の範囲】
【請求項１】
第１胴体と第２胴体との間に設けられて前記第２胴体が前記第１胴体の第１位置と第２位置との間をスライディングされながら移動できるようにするためのスライディング開閉装置であって、前記第２胴体のスライディング方向に前記第１胴体に設けられるスライディング部材と前記スライディング部材に移動可能に結合され、前記第２胴体に設けられるガイドレール部材を備えたスライディング開閉モジュールを前記スライディング方向に垂直な方向に沿って複数個設けて前記第２胴体のスライディング動作時、前記スライディング方向に垂直な左右方向への揺れを防止することを特徴とするデュアルスライディング開閉装置。
【請求項２】
前記スライディング開閉モジュールは、前記第１胴体と前記第２胴体の左側と右側とに一対が設けられることを特徴とする請求項１に記載のデュアルスライディング開閉装置。
【請求項３】
第１胴体と第２胴体との間に設けられて、前記第２胴体が前記第１胴体の第１位置と第２位置との間をスライディングされながら移動できるようにするためのスライディング開閉装置であって、両側縁に前記第２胴体のスライディング方向に形成される係止部を備え、前記スライディング方向に垂直な方向に沿って前記第１胴体の左側と右側とに設けられる一対のスライディング部材と、両側縁に前記スライディング部材の係止部と噛み合ってスライドするレール部を備え、前記一対のスライディング部材と対応する前記第２胴体の位置に設けられる一対のガイドレール部材とを含み、前記スライディング部材の係止部は、前記ガイドレール部材のレール部と接触する部分に摩擦を減少させ、潤滑性を良くする潤滑部材が取り付けられていることを特徴とするデュアルスライディング開閉装置。
【請求項４】
前記係止部は'U'字形状であり、前記レール部は前記係止部に向かって折り曲げられて前記'U'字形状の内側に嵌められる段形状であることを特徴とする請求項３に記載のデュアルスライディング開閉装置。
【請求項５】
前記一対のガイドレール部材は、前記第２胴体の背面板の左側と右側とに直接結合されることを特徴とする請求項４に記載のデュアルスライディング開閉装置。
【請求項６】
前記第２胴体の背面板の内側に結合される補強板をさらに備えて、前記補強板の左側と右側とに前記一対のガイドレール部材を結合し、前記背面板に前記ガイドレール部材と対応する部分に貫通孔を形成して前記一対のガイドレール部材を前記背面板の貫通孔を通じて前記第１胴体側に貫通させて結合されることを特徴とする請求項４に記載のデュアルスライディング開閉装置。
【請求項７】
前記補強板は金属板であることを特徴とする請求項６に記載のデュアルスライディング開閉装置。
【請求項８】
第１胴体と第２胴体との間に設けられて、前記第２胴体が前記第１胴体の第１位置と第２位置との間をスライディングされながら移動できるようにするためのスライディング開閉装置であって、両側縁に前記第２胴体のスライディング方向に形成される係止部を備え、前記スライディング方向に垂直な方向に沿って前記第１胴体の左側と右側とに設けられる一対のスライディング部材と、前記一対のスライディング部材の係止部が嵌められてスライドするスロットレール部が設けられ、前記第２胴体に設けられるガイドレール部材とを含み、前記スライディング部材の係止部は、前記ガイドレール部材のスロットレール部と接触する部分に摩擦を減少させ、潤滑性を良くする潤滑部材が取り付けられていることを特徴とするデュアルスライディング開閉装置。
【請求項９】
前記スライディング部材は、２つの板材が中間で重なって合体され、各板材の外側縁が外側に向けて'L'字形態で折り曲げられて前記係止部を形成して、前記スロットレール部に嵌められて前記スロットレール部に沿って移動可能に結合されることを特徴とする請求項８に記載のデュアルスライディング開閉装置。
【請求項１０】
前記２つの板材の重なる部分には、一方の板材には結合突起が、他方の板材には結合孔が設けられて、互いに嵌められて合体されることを特徴とする請求項９に記載のデュアルスライディング開閉装置。
【請求項１１】
前記２つの板材は、前記結合突起と前記結合孔を合体させた状態で前記板材に形成されたボルト孔に前記第１胴体でボルトを締結して結合されることを特徴とする請求項１０に記載のデュアルスライディング開閉装置。
【請求項１２】
前記スライディング部材は、分離された２つの板材からなり、各板材の外側縁が外側に向けて'L'字形態で折り曲げられて前記係止部を形成して、前記スロットレール部に嵌められた状態で前記板材に形成されたボルト孔に前記第１胴体でボルトを締結して前記スロットレール部に沿って移動可能に結合されることを特徴とする請求項８に記載のデュアルスライディング開閉装置。
【請求項１３】
前記ガイドレール部材は、その四方の縁を垂直に折曲させて枠を形成し、前記第２胴体の背面板に取付口を設けて、前記ガイドレール部材の枠を前記取付口に挿入取付させて結合されることを特徴とする請求項８に記載のデュアルスライディング開閉装置。
【請求項１４】
前記ガイドレール部材は、その両側縁を'L'字形態に折曲させて折曲部を形成し、前記第２胴体の背面板に取付口を設けて、前記ガイドレール部材を前記取付口に取付させ、前記折曲部を前記背面板に密着させて結合されることを特徴とする請求項８に記載のデュアルスライディング開閉装置。
【請求項１５】
前記ガイドレール部材の背面にはスロットレール部を閉鎖するための密閉板が取り付けられることを特徴とする請求項１３または１４に記載のデュアルスライディング開閉装置。
【請求項１６】
前記潤滑部材は、耐摩耗性及び潤滑性を有するプラスチック素材がインサート方式により前記係止部に取り付けられることを特徴とする請求項３または８に記載のデュアルスライディング開閉装置。
【請求項１７】
前記スライディング部材と前記ガイドレール部材との間に設けられて、前記スライディング部材と前記ガイドレール部材を前記第２胴体が閉じた状態である前記第１位置、または前記第２胴体が開いた状態である前記第２位置に押圧するスプリングをさらに含むことを特徴とする請求項３または８に記載のデュアルスライディング開閉装置。
【請求項１８】
前記スプリングは、リンク板にコイル部の一端が結合されて収納され、前記コイル部の他端で脚部が延びて前記リンク板を突出し、前記リンク板が前記スライディング部材及び前記ガイドレール部材のうちのいずれか一方の部材に、そして前記脚部が前記スライディング部材及び前記ガイドレール部材のうちの他方の部材に回転可能に設けられるリンク式スプリングであることを特徴とする請求項１７に記載のデュアルスライディング開閉装置。
【請求項１９】
前記スプリングは、コイル部とこれから伸びた２つの脚部からなり、一方の脚部が前記スライディング部材及び前記ガイドレール部材のうちのいずれか一方の部材に、そして他方の脚部が前記スライディング部材及び前記ガイドレール部材のうちの他方の部材に回転可能に設けられるトーションスプリングであることを特徴とする請求項１７に記載のデュアルスライディング開閉装置。
【請求項２０】
前記第１胴体、前記第２胴体、前記スライディング部材、及び前記ガイドレール部材は、スライディング方向に沿って同一な曲率に曲がったことを特徴とする請求項３または８に記載のデュアルスライディング開閉装置。
【請求項２１】
前記第１胴体の背面と前記第２胴体の前面は、直線に折れた形態または全体が直線の形態であり、前記第１胴体と前記第２胴体とが互いに接する部分とそれら間の前記スライディング部材と前記ガイドレール部材は曲がった形態であることを特徴とする請求項３または８に記載のデュアルスライディング開閉装置。
【請求項２２】
前記ガイドレール部材は、前記第２胴体の背面板に一体成形されて構成されることを特徴とする請求項３または８に記載のデュアルスライディング開閉装置。
【発明の詳細な説明】
【技術分野】
【０００１】
本発明は、スライディング開閉装置に関し、特に比較的幅の広い携帯型無線電話機、ＰＤＡ、ノートブックなど、スライディング開閉方式を採用した各種電子機器に適用されてスライディング動作の安定性を確保してくれるデュアルスライディング開閉装置に関する。
【背景技術】
【０００２】
一般に、スライドタイプの電子機器は、本体と、本体にスライディング可能に設けられた蓋、及び該本体と蓋との間に設けられて蓋が閉じた位置である第１位置から開いた位置である第２位置にスライド（滑らせながら）しながら移動できるようにするスライディング開閉装置からなっている。
【０００３】
特に、幅の広い電子機器、例えばスライディング方式のＰＤＡやノートブックにも既存にはスライディング方向に１つのスライディングメカニズムが設けられている。それによって、本体から蓋部分を押し上げるか押し下げる時、スライディングする垂直方向と直交する左や右の方向に揺れて動作安定性を阻害する問題を引き起こしている。
【０００４】
したがって、スライディング運動時、左や右への揺れによりスライディング部品が変形されるか、摩耗が甚だしく誘発されて、部品の寿命を短縮させる短所があった。このような変形及び摩耗を防止するためには、部品の厚さ及びサイズを必要以上増加させなければならないので、装置の小型薄型化に障害物として作用している。
【発明の概要】
【発明が解決しようとする課題】
【０００５】
本発明の目的は、前述した問題を解消するために案出したものであって、幅の広い電子機器の幅方向に並んで１対のスライディングモジュールを取り付けて、上下スライディング方向への動作安定性を倍加したデュアルスライディング開閉装置を提供することにある。
【課題を解決するための手段】
【０００６】
上記の目的を達成するための本発明の第１態様によるデュアルスライディング開閉装置は、第１胴体と第２胴体との間に設けられて、上記第２胴体が上記第１胴体の第１位置と第２位置との間をスライディングされながら移動できるようにするためのスライディング開閉装置であって、上記第２胴体のスライディング方向に上記第１胴体に設けられるスライディング部材と上記スライディング部材に移動可能に結合され、上記第２胴体に設けられるガイドレール部材を備えたスライディング開閉モジュールを上記スライディング方向に垂直な方向に沿って複数個設けて、上記第２胴体のスライディング動作時、上記スライディング方向に垂直な左や右の方向への揺れを防止することを特徴とする。
【０００７】
上記の目的を達成するための本発明の第２態様によるデュアルスライディング開閉装置は、第１胴体と第２胴体との間に設けられて、上記第２胴体が上記第１胴体の第１位置と第２位置との間をスライディングされながら移動できるようにするためのスライディング開閉装置であって、両側縁に上記第２胴体のスライディング方向に形成される係止部を備え、上記スライディング方向に垂直な方向に沿って上記第１胴体の左側と右側とに設けられる一対のスライディング部材と、両側縁に上記スライディング部材の係止部と噛み合ってスライド（スライド）するレール部を備え、上記一対のスライディング部材と対応する上記第２胴体の位置に設けられる一対のガイドレール部材とを含み、上記スライディング部材の係止部は、上記ガイドレール部材のレール部と接触する部分に摩擦を減少させ、潤滑性を良くする潤滑部材が取り付けられていることを特徴とする。
【０００８】
上記の目的を達成するための本発明の第３態様によるデュアルスライディング開閉装置は、第１胴体と第２胴体との間に設けられて上記第２胴体が上記第１胴体の第１位置と第２位置との間をスライディングされながら移動できるようにするためのスライディング開閉装置であって、両側縁に上記第２胴体のスライディング方向に形成される係止部を備え、上記スライディング方向に垂直な方向に沿って上記第１胴体の左側と右側とに設けられる一対のスライディング部材と、上記一対のスライディング部材の係止部が嵌められてスライドするスロットレール部が設けられ、上記第２胴体に設けられるガイドレール部材とを含み、上記スライディング部材の係止部は、上記ガイドレール部材のスロットレール部と接触する部分に摩擦を減少させ、潤滑性を良くする潤滑部材が取り付けられていることを特徴とする。
【発明の効果】
【０００９】
以上、説明したように、本発明によるデュアルスライディング開閉装置は、電子機器の左右両側に並んで一対のスライディングモジュールを取り付けることによって、上下スライディング動作時、スライディング方向である上下方向以外に左や右の方向への揺れを直して動作の安定性を向上できる効果がある。
【００１０】
それによって、既存に問題点として指摘された、スライディング運動時の左へまたは右への揺れにより、運動時に接触する部品が曲がったり摩耗されたり、延いては損傷や破損される弊害が防止できる利点がある。これは、本装置の耐久性を向上させて、本装置が採用された電子機器の寿命を延長する効果がある。
【００１１】
延いては、電子機器の左右両側にスライディング開閉モジュールを設けて電子機器の左側と右側との均衡を取ることによって部品厚さの小型化及び薄型化が可能であるので、電子機器の小型薄型化をなすことができる効果が期待できる。
【００１２】
以上の長所によって、本発明に従うスライディング開閉装置は、スライディング時に外力により容易に曲がらず、これによって電子機器の蓋などが円滑に作動できるようにする。
【図面の簡単な説明】
【００１３】
本発明の実施形態に関する詳細な説明は、添付する図面を参照してなされるものであり、図面で対応する部分を指定する番号は同一である。
【００１４】
【図１】本発明に従うデュアルスライディング開閉装置の第１実施形態を示す分解斜視図である。
【図２】図１を反対方向から見て示す分解斜視図である。
【図３】図１の組立斜視図である。
【図４】図３のＡ−Ａ線に従う断面図である。
【図５】図１乃至図４に図示された本発明の第１実施形態の動作を説明するための説明図である。
【図６】図１乃至図４に図示された本発明の第１実施形態の動作を説明するための説明図である。
【図７】図１のリンク式スプリングの拡大斜視図である。
【図８】図７の内部を示す分解斜視図である。
【図９】図１のリンク式スプリングに代えて採用できるトーションスプリングの斜視図である。
【図１０】本発明に従うデュアルスライディング開閉装置の第２実施形態を示す分解斜視図である。
【図１１】図１０を反対方向から見て示す分解斜視図である。
【図１２】本発明に従うデュアルスライディング開閉装置の第３実施形態を示す分解斜視図である。
【図１３】図１２を反対方向から見て示す分解斜視図である。
【図１４】本発明の第３実施形態の組立斜視図である。
【図１５】図１４のＢ−Ｂ線により切った断面図である。
【図１６】本発明に従うデュアルスライディング開閉装置の第４実施形態を示す分解斜視図である。
【図１７】図１６を反対方向から見て示す分解斜視図である。
【図１８】本発明に従うデュアルスライディング開閉装置の第５実施形態を示す分解斜視図である。
【図１９】図１８の組立断面図である。
【図２０】本発明に従うデュアルスライディング開閉装置の第６実施形態を示す断面図である。
【発明を実施するための最良の形態】
【００１５】
以下、添付した図面を参照しつつ本発明の好ましい実施形態に関して詳細に説明する。
【００１６】
図１は本発明に従うデュアルスライディング開閉装置の第１実施形態を示す分解斜視図であり、図２は図１を反対方向から見て示す分解斜視図である。また、図３は図１の組立斜視図であり、図４は図３のＡ−Ａ線に従う断面図である。
【００１７】
図示したように、本発明に従うデュアルスライディング開閉装置１００は、幅の広い携帯電話、ＰＤＡ、ノートブックなどの電子機器の本体をなす第１胴体１０と本体の上に結合されて蓋をなす第２胴体２０との間に設けられて、第２胴体２０が第１胴体１０の上の第１位置と第２位置との間でスライディングされながら開いたり閉じたりすることができるようにするためのものである。勿論、場合によって本装置１００の一部の構成要素は第１胴体１０または第２胴体２０に含まれることができる。
【００１８】
第１胴体１０の左右両側には本発明に従うデュアルスライディング開閉装置１００を設置するための一対の四角溝１２−１、１２−３を形成しておくことが好ましい。これによって、第一胴体10と第2胴体20の間のその他の部分の隙間（ギャップ）を最小化する、或いは、除去する。これは、本開閉装置１００が適用された電子機器を最大限、小型化、薄型化するための設計上の配慮である。一方、該左右一対の四角溝１２−１、１２−３を連結して１つの四角溝で形成してもよい。
【００１９】
本発明に従うデュアルスライディング開閉装置１００は、左右一対のスライディング開閉モジュール１００−１、１００−３を有する。この一対のスライディング開閉モジュール１００−１、１００−３は、電子機器の幅方向に離隔して左側と右側とに平行するように設けられる。スライディング開閉モジュールは、電子機器の左右に各々１つずつ設けられて、少なくとも２つ以上が備えられ、幅の広さを考慮して幅方向の中央や、でなければ幅方向に沿って等間隔に多数個が追加配置されることもできる。本発明は、少なくとも電子機器の左側と右側とに対向する一対のスライディング開閉モジュールを備える。
【００２０】
各スライディング開閉モジュール１００−１、１００−３は、第１胴体１０に安着して固定されるスライディング部材２００−１、２００−３と、このスライディング部材２００−１、２００−３に相互スライディング可能に結合されるガイドレール部材３００−１、３００−３とを備える。具体的に、一対のスライディング部材２００−１、２００−３は、第１胴体１０の一対の四角溝１２−１、１２−３に各々安着して固定される。この時の固定には、接着、熔接、またはボルティングなどが用いられることができ、好ましくは第１胴体１０の内側でスライディング部材２００−１、２００−３にボルティングを行うことが良い。延いては、本装置１００には、スライディング部材２００−１、２００−３とガイドレール部材３００−１、３００−３のスライド作動力を倍加させるスプリング４００−１、４００−３がスライディング部材２００−１、２００−３とガイドレール部材３００−１、３００−３との間に設けられる。このように設けられたスプリング４００−１、４００−３は、スライディング部材２００−１、２００−３とガイドレール部材３００−１、３００−３との相互スライド距離の略半分位までは圧縮されてから半分位を超えると、圧縮力が復原力に変わりながらスライドを助ける。このようなスプリング４００−１、４００−３の助力によりユーザは力をあまり入れなくても目的地まで難無くスライディング動作を達成できるようになる。このようなスプリング４００−１、４００−３には、一対のリンク式スプリングを用いることが好ましい。この際、一対のリンク式スプリング４００−１、４００−３は、互いに対向する状態で設けられることがより好ましい。この２つのリンク式スプリング４００−１、４００−３は、一端はスライディング部材２００−１、２００−３の孔２０２−１、２０２−３に各々回転可能に連結され、他端はガイドレール部材３００−１、３００−３の嵌合孔３０２−１、３０２−３に各々嵌められて回転可能に連結される。
このリンク式スプリング４００−１、４００−３は、電子機器の第１胴体１０と第２胴体２０との間に設けられて、スライディング部材２００−１、２００−３とガイドレール部材３００−１、３００−３とを第２胴体２０が閉じた状態である第１位置、または第２胴体２０が開いた状態である第２位置に押圧する役割をする。より詳しくは、リンク式スプリング４００−１、４００−３は、総スライド距離の約１／２程度移動した位置までは圧縮されながら第１位置に向かって力を作用させてからその位置を超過する位置に来ると圧縮されたスプリングが復元されながら第２位置に向かって力を作用させる。
【００２１】
上記スライディング部材２００−１、２００−３は、各々その両側縁に沿って一対の係止部２０４−１、２０４−３が対向して形成されている。この係止部２０４−１、２０４−３は、側面に凹んでいる"U"字形態に作ることが好ましく、下端付近から上端まで連続するように形成することが好ましい。しかしながら、係止部２０４−１、２０４−３は、場合によって上端付近と下端付近のみに形成されてもよい。この一対の対向して形成された係止部２０４−１、２０４−３の内側には、ガイドレール部材３００−１、３００−３が位置し、ガイドレール部材３００−１、３００−３の左右両側縁が左右一対の係止部２０４−１、２０４−３と噛み合って結合される。この噛み合うガイドレール部材３００−１、３００−３の左右両側縁にはレール胴体３０４−１、３０４−３からスライディング部材２００−１、２００−３の方に折り曲げられて係止部２０４−１、２０４−３に嵌められるレール部３０６−１、３０６−３が形成されている。このようにガイドレール部材３００−１、３００−３の両側縁がスライディング部材２００−１、２００−３の方に折り曲げられて形成されるので、スライド可能に結合されたガイドレール部材３００−１、３００−３とスライディング部材２００−１、２００−３との間には空間が形成される。この間の空間に、前述したリンク式スプリング４００−１、４００−３が配置されて結合される。特に、係止部２０４−１、２０４−３の内側にはレール部３０６−１、３０６−３との摩擦を減らして、スライド動作が円滑になされるように潤滑部材２１０−１、２１０−３が取り付けられる。この潤滑部材２１０−１、２１０−３は、耐摩耗性と潤滑性を同時に有する材質で製造され、好ましくはプラスチック系列の素材が適合する。潤滑部材２１０−１、２１０−３の形状は、係止部２０４−１、２０４−３と対応する形状で製造される。延いては、潤滑部材２１０−１、２１０−３は、スライディング部材２００−１、２００−３の製造時、インサート（insert：挿入）方式により一体化することが好ましい。
【００２２】
ガイドレール部材３００−１、３００−３は、そのレール胴体３０４−１、３０４−３にはリンク式スプリング４００−１、４００−３の一端が嵌められて結合される嵌合孔３０２−１、３０２−３が形成されており、レール胴体３０４−１、３０４−３から折り曲げられて両端には一対のレール部３０６−１、３０６−３が設けられている。この一対のレール部３０６−１、３０６−３は、スライディング部材２００−１、２００−３の係止部２０４−１、２０４−３に互いにスライド可能に噛み合うようになる。ガイドレール部材３００−１、３００−３は、第２胴体２０の背面板２２に結合され、この結合のために第２胴体２０の背面板２２には一対の結合溝２４−１、２４−３が形成され、それと対応するそれぞれのガイドレール部材３００−１、３００−３のレール胴体３０４−１、３０４−３には結合段３０８−１、３０８−３が折曲形成されており、背面板２２とガイドレール部材３００−１、３００−３との対応部位には多数の第１及び第２ボルト孔２６−１、２６−３、３０９−１、３０９−３が形成されている。したがって、ガイドレール部材３００−１、３００−３の結合段３０８−１、３０８−３を背面板２２の結合溝２４−１、２４−３に嵌めた状態でボルト３１０−１、３１０−３として背面板２２とガイドレール部材３００−１、３００−３の第１及び第２ボルト孔２６−１、２６−３、３０９−１、３０９−３に締結すれば、両部材は結合される。勿論、ガイドレール部材３００−１、３００−３と背面板２２とはボルティング方式ではない接着や熔接によっても結合可能である。
したがって、上記に例示したボルティングに必要とされる構造は、ガイドレール部材３００−１、３００−３と背面板２２との結合方式によって多少変更できる。勿論、背面板２２は第２胴体２０に結合されるようになる。これもまたボルティング、接着など、多様な結合方法により結合可能である。
【００２３】
上記のスライディング部材２００−１、２００−３及びガイドレール部材３００−１、３００−３は、薄い金属板で作ることが好ましく、スライディング部材２００−１、２００−３は場合によってプラスチックで成形して作ることもできる。
【００２４】
結合順序について詳細に説明すれば、スライディング部材２００−１、２００−３の係止部２０４−１、２０４−３に潤滑部材２１０−１、２１０−３を挿入して結合する。勿論、潤滑部材２１０−１、２１０−３は、スライディング部材２００−１、２００−３の製造時、インサート方式により一体成形できる。そして、スライディング部材２００−１、２００−３の左側と右側の係止部２０４−１、２０４−３に、ガイドレール部材３００−１、３００−３のレール部３０６−１、３０６−３を嵌めてスライディング部材２００−１、２００−３とガイドレール部材３００−１、３００−３とを結合する。この際、リンク式スプリング４００−１、４００−３の一端をスライディング部材２００−１、２００−３の孔２０２−１、２０２−３に回転可能に結合し、他端をガイドレール部材３００−１、３００−３の嵌合孔３０２−１、３０２−３に嵌めて回転可能に結合する。このようにして、スライディング部材２００−１、２００−３とガイドレール部材３００−１、３００−３との間にリンク式スプリング４００−１、４００−３を結合して、一対のスライディング開閉モジュール１００−１、１００−３を組立てる。
【００２５】
このように組立てられた一対のスライディング開閉モジュール１００−１、１００−３を第１胴体１０と第２胴体２０との間の左右両側に結合すれば、第１胴体１０と第２胴体２０が互いにスライディング動作が可能になる。具体的に、一対のスライディング開閉モジュール１００−１、１００−３のスライディング部材２００−１、２００−３を第１胴体１０の左と右の四角溝１２−１、１２−３に各々固定し、ガイドレール部材３００−１、３００−３を第２胴体２０の背面板２２に固定すれば、一対のスライディング開閉モジュール１００−１、１００−３で構成されたスライディング開閉装置１００は、第１胴体１０と第２胴体２０との間に完全に結合される。
【発明を実施するための形態】
【００２６】
図５及び図６は図１乃至図４に図示された本発明の第１実施形態の動作を説明するための説明図であって、図５は蓋が閉じた状態を、そして図６は蓋が開いた状態を各々示す。この図面と前述した図１乃至図４を共に参照しつつ本装置の動作について詳細に説明する。
【００２７】
図５のように、第１胴体（本体）１０に第２胴体（蓋）２０が重なって閉じた状態で、第２胴体２０を矢印Ａ方向に押して上げれば、左右一対のスライディング部材２００−１、２００−３で、それらに結合された左右一対のガイドレール部材３００−１、３００−３がスライドするようになる。このように、第２胴体２０は左側と右側とが相互スライド可能に結合されたスライディング部材２００−１、２００−３とガイドレール部材３００−１、３００−３とからなる左右一対のスライディング開閉モジュールにより安定的に支持されて案内されるので、安定的に移動するようになる。特に、第２胴体２０がスライディング動作区間の略半分位に到達すれば、半分位の位置まで来ながら圧縮されたリンク式スプリング４００−１、４００−３は、圧縮力が復原力に転換されながら第２胴体２０のスライド力にスプリング４００−１、４００−３の復原力を加勢させて、その力により動作の最終位置まで移動させるようになる。このように、本発明の装置はスライディング運動時、左右に設けられた一対のスライディング開閉モジュールが幅の広い電子機器の左側へおよび右側への揺れを防止して、安定したスライドを可能にし、延いては、スライド時にスプリング４００−１、４００−３の圧縮と復元による力によりスライドを円滑で、かつ容易にする。
【００２８】
上記のような動作により第１胴体１０で第２胴体２０が完全に開放されれば、図６のように、第２胴体２０のディスプレイ部２１と共に第１胴体１０のキー入力部（例えば、キーパッドまたはキーボード）１１が露出されて入力可能な状態に広げられる。
【００２９】
図７は図１のリンク式スプリングの拡大斜視図であり、図８は図７の内部構造図である。
【００３０】
本発明において、スライディング部材とガイドレール部材との間に取り付けられてスライド力を倍加させてくれるリンク式スプリング４００は、図７及び図８に示すように、略しゃもじ形状のリンク板４１０の一側に結合孔４１２を設けて、この結合孔４１２にスプリング部４２０のコイル部４２２を固定して、コイル部４２２から延びた脚部４２４をリンク板４１０から突出させて構成される。この際、リンク板４１０はコイル部４２２の両側面を覆いかぶせて支持できる形態で構成されることが好ましい。このような構成のリンク式スプリング４００は、リンク板４１０の結合孔４１２から最も遠い地点にスライディング部材に回転可能に結合するための固定孔４１４が設けられており、脚部４２４の端部にガイドレール部材の嵌合孔に嵌めて回転可能に結合するための取付端４２６が構成されている。
【００３１】
上記のように、リンク式スプリング４００は圧縮と復元を遂行してスライド力を倍加するコイル部４２２がリンク板４１０の内部に実装されて両側面が支持されて、作動時、歪みが防止されることによって、スプリングの捩れや損傷を最小化する。これと共に、リンク板４１０がスプリングの板状構造をなすようにすることで、ガイドレール部材とスライディング部材の間の狭い空間に設置が容易である。それによって、組立性が向上する。
【００３２】
図９は図１のリンク式スプリングに代えて採用できるトーションスプリングの斜視図であって、本発明では前述した構成のリンク式スプリングに代えて中央のコイル部４３０ａから２つの脚部４３２ａ、４３４ａが延び出したトーションスプリング４００ａが使われることもできる。トーションスプリング４００ａの結合はリンク式スプリングと同様に、その一端（一側脚部）はスライディング部材に、そして他端（他側脚部）はガイドレール部材に回転可能に結合される。
【００３３】
本発明で使われるスプリングは、以上の図７乃至図９に例示したリンク式スプリングやトーションスプリングの他にもコイルスプリングや板スプリングなど、多様なスプリングが代替使用できる。
【００３４】
図１０は本発明に従うデュアルスライディング開閉装置の第２実施形態を示す分解斜視図であり、図１１は図１０を反対方向から見て示す分解斜視図である。
【００３５】
本実施形態は、前述した第１実施形態と一対のスライディング開閉モジュールの構成は同一である。但し、一対のスライディング開閉モジュール１００ａ−１、１００ａ−３のガイドレール部材３００ａ−１、３００ａ−３を第２胴体２０ａに結合する構造において、第１実施形態と多少の差がある。通常、スライディングのための操作力（応力）はガイドレール部材３００ａ−１、３００ａ−３と背面板２２ａとの結合部位に作用するようになり、ガイドレール部材３００ａ−１、３００ａ−３が結合される第２胴体２０ａの背面板２２ａは、一般的にプラスチック素材で製造されるので、それだけ結合部位が損傷される虞が大きい。このような点を補強するために、第２実施形態では結合強度を増進させることができる構成を採用している。
【００３６】
具体的に、本第２実施形態ではガイドレール部材３００ａ−１、３００ａ−３と第２胴体２０ａとの結合強度を補強するために、補強板３２０ａにガイドレール部材３００ａ−１、３００ａ−３を結合した状態で背面板２０ａに一対のガイドレール部材３００ａ−１、３００ａ−３が通過する貫通孔２６ａ−１、２６ａ−３を形成して通過させた後、第２胴体２０ａの背面に補強板３２０ａと背面板２０ａを順次に覆って結合して第２胴体２０ａの背面にガイドレール部材３００ａ−１、３００ａ−３を結合させる。上記の補強板３２０ａは強度が優れる金属材で製造され、補強板３２０ａとガイドレール部材３００ａ−１、３００ａ−３との結合は、熔接、ボンディング、またはボルティングなどが使用できる。このように、本第２実施形態では背面板２０ａの内側に補強板３２０ａを重ねて当てることによって、ガイドレール部材３００ａ−１、３００ａ−３の結合強度を上げて、より耐久性が優れるスライディング開閉される電子機器を製造できるようになる。
【００３７】
図１２は本発明に従うデュアルスライディング開閉装置の第３実施形態を示す分解斜視図であり、図１３は図１２を反対方向から見て示す分解斜視図である。また、図１４は本第３実施形態の組立斜視図であり、図１５は図１４のＢ−Ｂ線により切った断面図である。
【００３８】
本第３実施形態は、ガイドレール部材３００ｂに上記の第１及び第２実施形態で例示された段形態のレール部の代りにスロット（slot）形態のレール部（以下、'スロットレール部'という）３０６ｂ−１、３０６ｂ−３、３０６ｂ−５、３０６ｂ−７を形成する。具体的には、ガイドレール部材３００ｂを１つの板体で構成して、左右両側に各々一対ずつの第１及び第２スロットレール部３０６ｂ−１、３０６ｂ−３、３０６ｂ−５、３０６ｂ−７を形成する。そして、一対のスライディング部材２００ｂ−１、２００ｂ−３の両側縁をスロットレール部３０６ｂ−１、３０６ｂ−３、３０６ｂ−５、３０６ｂ−７に向けて折曲させて係止部２３２ｂ−１、２３２ｂ−３、２３２ｂ−５、２３２ｂ−７を形成し、かつ各スライディング部材２００ｂ−１、２００ｂ−３は２つの板材２３０ｂ−１、２３０ｂ−３、２３０ｂ−５、２３０ｂ−７から構成されて中間で重なって結合されるようにする。したがって、各スライディング部材２００ｂ−１、２００ｂ−３に両側に設けられた一対の係止部２３２ｂ−１、２３２ｂ−３、２３２ｂ−５、２３２ｂ−７は、２つの板材２３０ｂ−１、２３０ｂ−３、２３０ｂ−５、２３０ｂ−７の一側縁のみに各々１つずつ形成されているようになり、略"L"字形態で、その終端が外側に向けて折り曲げられる形状が好ましい。このように、２つの板材２３０ｂ−１、２３０ｂ−３、２３０ｂ−５、２３０ｂ−７を合体させて、それぞれのスライディング部材２００ｂ−１、２００ｂ−３を構成することは、第１及び第２スロットレール部３０６ｂ−１、３０６ｂ−３、３０６ｂ−５、３０６ｂ−７に各スライディング部材２００ｂ−１、２００ｂ−３の係止部２３２ｂ−１、２３２ｂ−３、２３２ｂ−５、２３２ｂ−７を進入させることができるようにするためのものである。スライディング部材２００ｂ−１、２００ｂ−３の合体される２つの板材２３０ｂ−１、２３０ｂ−３、２３０ｂ−５、２３０ｂ−７の重なる部分には、一方の板材２３０ｂ−１、２３０ｂ−５には結合突起２３４ｂ−１、２３４ｂ−３が、そして他方の板材２３０ｂ−３、２３０ｂ−７には結合孔２３６ｂ−１、２３６ｂ−３が形成されて互いに嵌められる。勿論、ガイドレール部材３００ｂ−１、３００ｂ−３にスプリング４００ｂ−１、４００ｂ−３及びスライディング部材２００ｂ−１、２００ｂ−３を組立てた後、第２胴体２０ｂにガイドレール部材３００ｂ−１、３００ｂ−３側を固定した状態で、最後に第１胴体１０ｂで２つの板材２３０ｂ−１、２３０ｂ−３、２３０ｂ−５、２３０ｂ−７に形成されたボルト孔２３８ｂ−１、２３８ｂ−３、２３８ｂ−５、２３８ｂ−７にボルトを締結してスライディング部材２００ｂ−１、２００ｂ−３を１つに結束させて固定する。この際、スライディング部材２００ｂ−１、２００ｂ−３が取り付けられる第１胴体１０ｂの部分に設けられた四角溝１２ｂは１つで形成されることができ、スライディング部材２００ｂ−１、２００ｂ−３の２つの板材２３０ｂ−１、２３０ｂ−３、２３０ｂ−５、２３０ｂ−７が重なる中間部分は若干突出されるので、この突出部分が進入できるように四角溝１２ｂの内には収容溝１４ｂ−１、１４ｂ−３が形成されることが好ましい。延いては、スライディング部材２００ｂ−１、２００ｂ−３の係止部２３２ｂ−１、２３２ｂ−３、２３２ｂ−５、２３２ｂ−７には、スロットレール部３０６ｂ−１、３０６ｂ−３、３０６ｂ−５、３０６ｂ−７と接触する部分に摩擦を減少させてスライディングを円滑に誘導するために潤滑部材２４０ｂ−１、２４０ｂ−３、２４０ｂ−５、２４０ｂ−７が取り付けられている。この潤滑部材２４０ｂ−１、２４０ｂ−３、２４０ｂ−５、２４０ｂ−７は、インサート方式により係止部２３２ｂ−１、２３２ｂ−３、２３２ｂ−５、２３２ｂ−７の接触面に被せることができる。
【００３９】
本実施形態では、ガイドレール部材３００ｂ−１、３００ｂ−３の縁に沿って内側に折り曲げられた枠３０８ｂを持っており、この枠３０８ｂが第２胴体２０ｂの背面に形成された取付口２８ｂの内に取り付けられて密着固定される。そして、第２胴体２０ｂと対面して第２胴体２０ｂの内側に位置するガイドレール部材３００ｂ−１、３００ｂ−３の内面には密閉板３３０ｂ−１、３３０ｂ−３が取り付けられる。この２つの密閉板３３０ｂ−１、３３０ｂ−３は、各々左側と右側とのスロットレール部３０６ｂ−１、３０６ｂ−３、３０６ｂ−５、３０６ｂ−７の形状に符合する形態で製作されてスロットレール部を完全に囲むようになる。したがって、スロットレール部３０６ｂ−１、３０６ｂ−３、３０６ｂ−５、３０６ｂ−７を通じて第２胴体２０ｂの内部が露出しないように遮断して、外部の異質物が第２胴体２０ｂの内部に侵入することを遮断し、美観を良くする一方、ガイドレール部材３００ｂ−１、３００ｂ−３の強度を補強する役割をする。
【００４０】
本実施形態において、ガイドレール部材３００ｂ−１、３００ｂ−３の左側と右側とのスロットレール部３０６ｂ−１、３０６ｂ−３、３０６ｂ−５、３０６ｂ−７の形状を異なるようにしたことは、一方のスロットレール部３０６ｂ−１、３０６ｂ−３の間にＰＣＢケーブルが通過する孔３０５ｂを設けているためである。
【００４１】
図１６は本発明に従うデュアルスライディング開閉装置の第４実施形態を示す分解斜視図であり、図１７は図１６を反対方向から見て示す分解斜視図である。
【００４２】
本第４実施形態は、前述した第３実施形態の変形例であって、大部分の構成要素は第３実施形態と同一である。単に、ガイドレール部材３００ｃの結合構造において、第３実施形態と若干の差があるだけである。即ち、第４実施形態でのガイドレール部材３００ｃは、四方の縁を全て折曲させる代わり、両側の縁のみを第２胴体２０ｃ側に向けて２回折曲させて折曲部３０８ｃ−１、３０８ｃ−３を形成し、この折曲部３０８ｃ−１、３０８ｃ−３に締結孔３０９ｃ−１、３０９ｃ−３を設けて背面板２２ｃの取付口２８ｃに嵌めた状態でボルト３５０ｃ−１、３５０ｃ−３にて第２胴体２０ｃの背面板２２ｃに固定できるように第３実施形態から若干変形された構造を示す。その他は前述した第３実施形態と同一であるので、同一な部分に対する構成説明は省略する。
【００４３】
場合によっては、以上説明した本発明の第２〜第４実施形態でガイドレール部材を第２胴体の背面板に一体成形して製造できる。この際、背面板とガイドレール部材は同一な材質であって、例えば金属またはプラスチックで一体に製造される。好ましくは、第２実施形態では補強板にガイドレール部材を一体成形し、このようにガイドレール部材が成形された補強板を背面板にインサート方式により一体化できる。また、第３及び第４実施形態ではガイドレール部材を背面板にインサート方式により一体化するか、でなければ塞がった背面板にスロットレール部を直接形成して構成できる。
【００４４】
図１８は本発明に従うデュアルスライディング開閉装置の第５実施形態を示す分解斜視図であり、図１９は図１８を組立てた状態の断面図である。本実施形態は、ガイドレール部材とスライディング部材との結合構造の変形例を示すものであって、ここでは第１及び第２胴体を排除し、ガイドレール部材とスライディング部材のみを図示した。
【００４５】
本第５実施形態から見るように、ガイドレール部材３００ｄとスライディング部材２００ｄ−１、２００ｄ−３との結合は、１つの板体のガイドレール部材３００ｄに左右一対ずつのスロットレール部３０６ｄ−１、３０６ｄ−３、３０６ｄ−５、３０６ｄ−７を形成し、各対のスロットレール部３０６ｄ−１、３０６ｄ−３、３０６ｄ−５、３０６ｄ−７に係止部２５２ｄ−１、２５２ｄ−３、２５２ｄ−５、２５２ｄ−７を持つ一対の板材２５０ｄ−１、２５０ｄ−３、２５０ｄ−５、２５０ｄ−７からなるスライディング部材２００ｄ−１、２００ｄ−３を結合させて構成される。特に、各スライディング部材２００ｄ−１、２００ｄ−３は、２つの板材２５０ｄ−１及び２５０ｄ−３、２５０ｄ−５及び２５０ｄ−７が分離された状態で対をなして構成され、各板材２５０ｄ−１、２５０ｄ−３、２５０ｄ−５、２５０ｄ−７には、中央板部２５４ｄ−１、２５４ｄ−３、２５４ｄ−５、２５４ｄ−７に締結孔２５６ｄ−１、２５６ｄ−３、２５６ｄ−５、２５６ｄ−７が形成され、それから外側に折り曲げられて係止部２５２ｄ−１、２５２ｄ−３、２５２ｄ−５、２５２ｄ−７が設けられている。したがって、対をなす２つの板材２５０ｄ−１及び２５０ｄ−３、２５０ｄ−５及び２５０ｄ−７の外側には対向する形態の係止部２５２ｄ−１、２５２ｄ−３、２５２ｄ−５、２５２ｄ−７が形成され、その中央板部２５４ｄ−１、２５４ｄ−３、２５４ｄ−５、２５４ｄ−７には締結孔２５６ｄ−１、２５６ｄ−３、２５６ｄ−５、２５６ｄ−７が設けられる。この係止部２５２ｄ−１、２５２ｄ−３、２５２ｄ−５、２５２ｄ−７をスロットレール部３０６ｄ−１、３０６ｄ−３、３０６ｄ−５、３０６ｄ−７に嵌めた状態で中央板部２５４ｄ−１、２５４ｄ−３、２５４ｄ−５、２５４ｄ−７を第１胴体１０ｄに密着させて締結孔２５６ｄ−１、２５６ｄ−３、２５６ｄ−５、２５６ｄ−７にボルト２７０ｄ−１〜２７０ｄ−７を締結すれば、ガイドレール部材３００ｄとスライディング部材２００ｄ−１、２００ｄ−３との結合と共に、スライディング部材２００ｄ−１、２００ｄ−３と第１胴体１０ｄとの結合もなされるようになる。
【００４６】
上記係止部２５２ｄ−１、２５２ｄ−３、２５２ｄ−５、２５２ｄ−７にもガイドレール部材３００ｄと接触する部分にインサート方式により潤滑部材２６０ｄ−１、２６０ｄ−３、２６０ｄ−５、２６０ｄ−７が取付できる。
【００４７】
図２０は本発明に従うデュアルスライディング開閉装置の第６実施形態を示す組立断面図であって、この図面はスライディング方向に沿って切断して示す断面図である。
【００４８】
本発明に従うスライディング開閉装置とそれに従う携帯型端末機を図２０に示すようにスライディング方向に沿って所定の曲率で曲がった形態に作ることができる。このために、本発明では図２０に示すように、第１胴体１０ｅ、第２胴体２０ｅ、スライディング部材２００ｅ−１、２００ｅ−３、及びガイドレール部材３００ｅ−１、３００ｅ−３を略同一な曲率に曲がるように作ればよい。ここに適用される第１胴体１０ｅなどの曲率の程度は端末機の用途を考慮して使用に安らかな程度に適切に変更できる。
【００４９】
場合によっては、第１胴体１０ｅの背面と第２胴体２０ｅの前面とは互いに接する部分の曲率と異なる曲率で形成することができ、延いては、第１胴体１０ｅの背面と第２胴体２０ｅの前面とは直線に折れた形態、または全体が直線の形態にし、互いに接する部分とその間の付属品（例えば、スライディング部材、ガイドレール部材）のみ曲がった形態にしてもよい。この際、スプリングのように、その長さの短い部品は曲率を与えてもよいが、曲率を与えなくても構わない。
【００５０】
ここで開示される実施形態は、様々な実施可能な例のうち、当業者の理解を助けるために最も好ましい例を選定して提示したものであり、本発明の技術的思想が必ずこの実施形態により限定または制限されるのではなく、本発明の技術的思想から逸脱しない範囲内で多様な変化及び変更が可能であることが勿論、均等な他の実施形態が可能である。
【産業上の利用可能性】
【００５１】
携帯型無線電話機、ＰＤＡ、ノートブックなど、スライディング開閉方式を採用した各種の電子機器に利用可能性がある。
【図１】
2011518515.tif 000003
【図２】
2011518515.tif 000004
【図３】
2011518515.tif 000005
【図４】
2011518515.tif 000006
【図５】
2011518515.tif 000007
【図６】
2011518515.tif 000008
【図７】
2011518515.tif 000009
【図８】
2011518515.tif 000010
【図９】
2011518515.tif 000011
【図１０】
2011518515.tif 000012
【図１１】
2011518515.tif 000013
【図１２】
2011518515.tif 000014
【図１３】
2011518515.tif 000015
【図１４】
2011518515.tif 000016
【図１５】
2011518515.tif 000017
【図１６】
2011518515.tif 000018
【図１７】
2011518515.tif 000019
【図１８】
2011518515.tif 000020
【図１９】
2011518515.tif 000021
【図２０】
2011518515.tif 000022
【国際調査報告】
2011518515.tif 000023
2011518515.tif 000024